(57)【要約】【課題】着用者の負担を抑制しつつ、電子機器の位置ずれを抑制可能な衣類及び電子機器付き衣類を提供する。【解決手段】衣類１は、着用者の胴体を覆う胴体部１０と、着用者の腕部を覆い、筒状の表地２１及び裏地２２を有する袖部２０Ｌと、表地２１に取り付けられた取付ケース３０と、を備える。裏地２２における取付ケース３０の近傍の部分２２ｓが、想定着用者の腕部太さよりも細く絞られているとともに、伸縮性を有する生地で構成されている。【選択図】図５
2019019427.tif 000002
【特許請求の範囲】
【請求項１】
着用者の胴体を覆う胴体部と、
着用者の腕部を覆い、筒状の表地及び裏地を有する袖部と、
前記表地に取り付けられ、電子機器が取り付けられる電子機器取付ケースと、を備え、
前記裏地における前記電子機器取付ケースの近傍の部分が、想定着用者の腕部太さよりも細く絞られているとともに、伸縮性を有する生地で構成されている、
衣類。
【請求項２】
前記電子機器取付ケースは、当該電子機器取付ケースに取り付けられた電子機器の表示面を露出させる第１の開口を備え、前記表示面が外部に露出するように前記表地に取り付けられている、
請求項１に記載の衣類。
【請求項３】
前記袖部は、着用者の下腕部を覆う下腕被覆部を有する長袖形状の袖部であり、
前記電子機器取付ケースは、前記表地の前記下腕被覆部部分に、着用者の下腕部が水平に持ち上げられた状態で前記表示面が上を向く位置に取り付けられている、
請求項２に記載の衣類。
【請求項４】
前記電子機器取付ケースは、弾性を有する樹脂製で、第２の開口を備え、
前記電子機器は、前記電子機器取付ケースが弾性変形された状態で前記第２の開口を介して着脱される、
請求項２または３に記載の衣類。
【請求項５】
前記電子機器取付ケースは、前記表地に設けられた第３の開口に嵌めて取り付けられ、
前記第２の開口は、前記電子機器取付ケースにおいて前記第１の開口が設けられた面とは反対側の面に設けられ、
前記表地に前記電子機器取付ケースの近傍でファスナが設けられ、
前記電子機器は、前記ファスナが開かれた状態で、前記表地の裏側から、前記第２の開口を介して前記電子機器取付ケースに着脱される、
請求項４に記載の衣類。
【請求項６】
前記電子機器は、映像信号に基づく画像を表示する表示装置であり、
前記胴体部は、第２の表地と第２の裏地とを有し、
前記第２の裏地における前記第２の表地側の面にポータブルコンピュータ本体を収容するポケットが設けられ、
前記第２の表地において前記ポケットに正面視で重なる部分がメッシュ状に構成されている、
請求項１から５のいずれか１項に記載の衣類。
【請求項７】
前記胴体部の前記第２の表地と前記第２の裏地との間の空間、及び前記袖部の前記表地と前記裏地との間の空間に、前記電子機器と前記ポータブルコンピュータ本体とを接続する接続ケーブルが通される、
請求項６に記載の衣類。
【請求項８】
請求項１から７のいずれか１項に記載の衣類と、前記衣類の電子機器取付ケースに取り付けられた電子機器と、を含む、
電子機器付き衣類。
【請求項９】
前記袖部の前記裏地において絞られている部分に生体センサが取り付けられている、
請求項８に記載の電子機器付き衣類。
【発明の詳細な説明】
【技術分野】
【０００１】
本開示は、電子機器の取り付け部を有する衣類、及び電子機器が取り付けられた電子機器付き衣類に関する。
【背景技術】
【０００２】
特許文献１は、利用者の腕にベルトで装着する電子機器を開示している。
【先行技術文献】
【特許文献】
【０００３】
【特許文献１】特開２０１４−９０２６９号公報
【発明の概要】
【発明が解決しようとする課題】
【０００４】
腕は長さ方向で太さが一様でないため、腕を動かしたときなどにベルトがずれ、電子機器の位置もずれやすい。そのためベルトの締め直しが必要となる。ベルトをきつく締めればずれは生じにくいが、着用者にとって負担となる。
【０００５】
本開示は、着用者の負担を抑制しつつ、電子機器の位置ずれを抑制可能な衣類及び電子機器付き衣類を提供する。
【課題を解決するための手段】
【０００６】
本開示の衣類は、
着用者の胴体を覆う胴体部と、
着用者の腕部を覆い、筒状の表地及び裏地を有する袖部と、
表地に取り付けられ、電子機器が取り付けられる電子機器取付ケースと、を備え、
裏地における電子機器取付ケースの近傍の部分が、想定着用者の腕部太さよりも細く絞られているとともに、伸縮性を有する生地で構成されている。
【０００７】
本開示の電子機器付き衣類は、本開示の衣類と、衣類の電子機器取付ケースに取り付けられた電子機器と、を含む。
【発明の効果】
【０００８】
本開示によると、衣類が着用された状態のとき、袖部の裏地における電子機器取付ケースの近傍の部分が生地の伸縮性により伸びて着用者の腕部にフィットする。そのため、着用者が腕を動かすなどしても、衣類の袖部と着用者の腕との位置関係が変わりにくい。よって、電子機器の位置ずれを抑制できる。また、伸縮性を有する生地を着用者の腕部にフィットさせることで位置関係を保持させるため、ベルトのようにきつく締めることなく、電子機器の位置ずれを抑制できる。つまり、着用者の負担を抑制しつつ、電子機器の位置ずれを抑制できる。
【図面の簡単な説明】
【０００９】
【図１Ａ】実施の形態１における衣類の正面図である。
【図１Ｂ】実施の形態１における衣類の背面図である。
【図２】図１ＡのＡ−Ａ線による断面図である。
【図３】図１ＡのＢ−Ｂ線による断面図である。
【図４Ａ】取付ケース単体の正面側の斜視図である。
【図４Ｂ】取付ケース単体の背面側の斜視図である。
【図５】図１ＡのＣ−Ｃ線による断面図である。
【図６】図１ＡのＤ−Ｄ線による断面図である。
【図７】衣類が着用された状態で示した図５相当の断面図である。
【図８】衣類が着用された状態で示した図６相当の断面図である。
【図９】衣類を着用した状態で表示装置を操作している利用者の一例を示した図である。
【図１０】実施の形態２における衣類についての図７相当の断面図である。
【図１１】実施の形態３における衣類についての図７相当の断面図である。
【図１２】実施の形態３における衣類についての図８相当の断面図である。
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するのであって、これらによって特許請求の範囲に記載の主題を限定することを意図するものではない。
【００１２】
（実施の形態１）
以下、図面を参照して実施の形態１を説明する。
【００１３】
［１．構成］
図１Ａは、実施の形態１における衣類の正面図である。図１Ｂは、実施の形態１における衣類の背面図である。本実施の形態における衣類１は、胴体部１０と、左右の袖部２０Ｌ，２０Ｒを有する。左右の袖部２０Ｌ，２０Ｒの各々は着用者の上腕部を覆う上腕被覆部２０ａと下腕部を覆う下腕被覆部２０ｂとを備え、長袖形状を有する。
【００１４】
衣類１の胴体部１０の左前身頃１０ＦＬの表地１１と裏地との間には、ポータブルコンピュータ本体１０２を収容するためのポケット１４が設けられている。また、右前身頃１０ＦＲの表地１１と裏地との間には、バッテリユニット１０３を収容するためのポケット１７が設けられている。また、左側の袖部２０Ｌの下腕被覆部２０ｂの表地２１には、表示装置１０１（電子機器の一例）が取り付けられる取付ケース３０（電子機器取付ケースの一例）が設けられている。表示装置１０１が取付ケース３０に取り付けられた状態では、表示面１０１ａが外部に露出する。表示装置１０１は、タッチ入力機能を有していてもよい。また、衣類１は、ポータブルコンピュータ本体１０２と表示装置１０１を接続する第１、第２接続ケーブル１１１，１１２、及びポータブルコンピュータ本体１０２とバッテリユニット１０３を接続する第３接続ケーブル１１３を収容可能である。以下、衣類１の構造について詳しく説明する。
【００１５】
衣類１には、上記の各機器やケーブルを取付または収容するために、第１〜第７ファスナ４１〜４７が設けられている。第１〜第７ファスナ４１〜４７の各々はスライドファスナである。
【００１６】
第１ファスナ４１は、胴体部１０の前身頃１０Ｆの幅方向中央に上下方向に延設されており、第１ファスナ４１を開くことで前身頃１０Ｆを左前身頃１０ＦＬと右前身頃１０ＦＲとに分割し左右に開くことができる。
【００１７】
第２ファスナ４２は、左前身頃１０ＦＬの表地１１に上下方向に延設されており、第２ファスナ４２を開くことで、表地１１と裏地との間の空間に設けられたポケット１４にアクセスすることができる。第３ファスナ４３は、右前身頃１０ＦＲの表地１１に上下方向に延設されており、第３ファスナ４３を開くことで、表地１１と裏地との間の空間に設けられたポケット１７にアクセスすることができる。
【００１８】
第４ファスナ４４は、左側の袖部２０Ｌの上腕被覆部２０ａ部分の表地２１に袖部２０Ｌの長手方向に延設されており、第４ファスナ４４を開くことで、袖部２０Ｌの表地２１と裏地との間の空間にアクセスすることができる。第５ファスナ４５は、右側の袖部２０Ｒの上腕被覆部２０ａ部分の表地２１に袖部２０Ｒの長手方向に延設されており、第５ファスナ４５を開くことで、袖部２０Ｒの表地２１と裏地との間の空間にアクセスすることができる。
【００１９】
第６ファスナ４６は、左側の袖部２０Ｌの下腕被覆部２０ｂの表地２１に、取付ケース３０の近傍で、袖部２０Ｌの長手方向に延設されており、第６ファスナ４６を開くことで、下腕被覆部２０ｂの表地２１の内側にアクセスすることができる。下腕被覆部２０ｂの第６ファスナ４６部分の構造については後で詳述する。
【００２０】
第７ファスナ４７は、胴体部１０の後ろ身頃１０Ｒの上部に左右方向に延設されており、第７ファスナ４７を開くことで、後ろ身頃１０Ｒの表地１１と裏地との間の空間にアクセスすることができる。
【００２１】
第１、第２接続ケーブル１１１，１１２は、胴体部１０の左前身頃１０ＦＬの表地１１と裏地との間の空間と、左側の袖部２０Ｌの表地２１と裏地との間の空間とを通って、ポータブルコンピュータ本体１０２と表示装置１０１とを接続する。第１、第２接続ケーブル１１１，１１２の引き回し及び取り外しは、第２ファスナ４２及び第４ファスナ４４を開いて上記各空間にアクセスすることで行うことができる。
【００２２】
第３接続ケーブル１１３は、胴体部１０の左前身頃１０ＦＬの表地１１と裏地との間の空間と、左側の袖部２０Ｌの表地２１と裏地との間の空間と、胴体部１０の後ろ身頃１０Ｒの表地１１と裏地との間の空間と、右側の袖部２０Ｌの表地２１と裏地との間の空間と、胴体部１０の右前身頃１０ＦＲの表地１１と裏地との間の空間を通って、ポータブルコンピュータ本体１０２とバッテリユニット１０３とを接続する。第３接続ケーブル１１３の引き回し及び取り外しは、第２〜５ファスナ４２〜４５及び第７ファスナ４７をそれぞれ開いて上記各空間にアクセスすることで行うことができる。
【００２３】
図２は、図１ＡのＡ−Ａ線による断面図である。胴体部１０の左前身頃１０ＦＬのポケット１４は、左前身頃１０ＦＬの裏地１２における表地１１側の面にポケット布１３を縫製することで形成されており、ポータブルコンピュータ本体１０２が収容される。ここで、各図において縫製箇所を「Ｓ」で示している。ポケット布１３には開口１３ａが設けられるとともに、表地１１においてポケット１４に正面視で重なる部分はメッシュ部材１５で構成されている。これにより、ポータブルコンピュータ本体１０２から発生した熱を、ポケット布１３の開口１３ａ及び表地１１のメッシュ部材１５を介して、衣類１の外部に放熱できる。そのため、衣類１の内部に熱がこもりにくく、ポータブルコンピュータ本体１０２の温度上昇を抑制できるとともに、熱による暑さを着用者に感じさせにくくすることができる。
【００２４】
図３は、図１ＡのＢ−Ｂ線による断面図である。胴体部１０の右前身頃１０ＦＲのポケット１７は、右前身頃１０ＦＲの裏地１２における表地１１側の面にポケット布１６を縫製することで形成されており、バッテリユニット１０３が収容される。
【００２５】
図４Ａは、取付ケース３０単体の正面側の斜視図である。図４Ｂは、取付ケース３０単体の背面側の斜視図である。図５は、図１ＡのＣ−Ｃ線による断面図である。図６は、図１ＡのＤ−Ｄ線による断面図である。
【００２６】
取付ケース３０は、矩形の額縁状の形状を有し、矩形の板状の形状を有する表示装置１０１を収容することができる。具体的に、取付ケース３０は、表示装置１０１が嵌め込まれる枠部３０ａと、枠部３０ａの周囲に形成されたフランジ部３０ｂとを有する。前面及び背面には、開口３０ｏ，３０ｐ（以下「前面開口３０ｏ」、「背面開口３０ｐ」という）が設けられる。取付ケース３０は、弾性を有する樹脂で形成されている。フランジ部３０ｂには、複数の縫糸通し孔３０ｃが設けられている。枠部３０ａの側面保持部３０ｆには、ケーブル通し孔３０ｄ，３０ｅが設けられている。
【００２７】
上記図４Ａ、図４Ｂに加え、図５、図６を参照して、取付ケース３０及びその周辺の構造について説明する。図５は、図１ＡのＣ−Ｃ線による断面図である。図６は、図１ＡのＤ−Ｄ線による断面図である。
【００２８】
枠部３０ａは、側面保持部３０ｆと、前面保持部３０ｇと、背面保持部３０ｈとを備える。側面保持部３０ｆは、表示装置１０１の側面に近接した状態で対向する。前面保持部３０ｇは、側面保持部３０ｆの前面側端部に設けられて、表示装置１０１の前面（表示面１０ａ）の縁部に近接状態で対向し、表示装置１０１が上側に抜け出るのを抑止する。背面保持部３０ｈは、側面保持部３０ｆの背面側端部に設けられて、表示装置１０１の背面の縁部に対向し、表示装置１０１が背面開口３０ｐから抜け出すのを抑止する。なお、背面保持部３０ｈは、枠部３０ａの長辺にのみ設けられ、短辺には設けられていない。ここで、表示装置１０１は、取付ケース３０の枠部３０ａを変形させた状態で背面開口３０ｐを介して着脱される。この着脱を行いやすくするために、短辺には背面保持部３０ｈを設けていない。
【００２９】
袖部２０Ｌは、上述したように、表地２１と裏地２２とを有する。袖部２０Ｌの裏地２２の袖口２０ｉ側の端部は、縫製により表地２１に結合されている。これに対し、袖部２０Ｌの裏地２２における胴体部１０側の端部は、表地２１とともに縫製により胴体部１０に結合されている（図１Ａ参照）。なお、第１、第２接続ケーブル１１１，１１２を、左前身頃１０ＦＬの表地１１と裏地１２との間の空間と、袖部２０Ｌの表地２１と裏地２２との間の空間とにまたがって通すことが可能なように、裏地２２については、胴体部１０の左前身頃１０ＦＬ及び後ろ身頃１０Ｒへの縫製が一部行われない部分が残され、この部分は第１、第２接続ケーブル１１１，１１２を通すためのケーブル通し孔として用いられる。なお、右側の袖部２０Ｌと、胴体部１０の右前身頃１０ＦＲ及び後ろ身頃１０Ｒとの縫製が行われる部分についても同様の構成を有する。
【００３０】
表地２１において取付ケース３０が取り付けられる部分には、取付ケース３０の枠部３０ａと同程度の大きさを有する開口２１ａが設けられている。取付ケース３０は、枠部３０ａが開口２１ａに嵌められた状態で、表地２１の裏面にフランジ部３０ｂを当てた状態で縫糸で縫製されることで、表地２１に固定されている。
【００３１】
袖部２０Ｌにおいて表地２１と裏地２２との間にはポケット布２３が設けられている。ポケット布２３は、表地２１に、取付ケース３０を裏側から包囲するように縫製され、ポケット２４を形成する。また、ポケット布２３には、第１、第２接続ケーブル１１１，１１２を上部側の空間に通すためのケーブル通し孔２３ａが設けられている。第６ファスナ４６は、表地２１においてポケット２４と重なる位置に取り付けられている。第６ファスナ４６を開くことで、表地２１とポケット２４との間の空間にアクセスし、この空間及び取付ケース３０の背面開口３０ｐを介して、表地２１の裏側から取付ケース３０に表示装置１０１を着脱できる。これにより、例えば腕を強く動かしたような場合でも、取付ケース３０から表示装置１０１が衣類１の外部に脱落することが抑制される。また、仮に取付ケース３０の背面側に脱落してもポケット２４内に収まることとなる。
【００３２】
表地２１及び裏地２２は、天然繊維及び／または化学繊維を利用して筒状に織られた織物である。また、裏地２２は伸縮性を有するように織られており、衣類１が着用されていない非着用状態において、裏地２２における取付ケース３０の近傍の部分２２ｓが、素材の伸縮性により絞られた状態（筒の直径が小さくなった状態）となっている。この絞られた部分２２ｓを以下適宜「絞り部２２ｓ」という。絞られた状態での絞り部２２ｓの太さは想定着用者の下腕部よりも十分細い太さに設定されている。想定着用者とは、当該衣類１のサイズ（例えばＳ，Ｍ，Ｌ）に応じて想定される利用者である。
【００３３】
上記衣類１における作用について説明する。図７は、衣類が着用された状態で示した図５相当の断面図である。図８は、衣類が着用された状態で示した図６相当の断面図である。
【００３４】
図７、図８に示すように、想定着用者と同程度の体型の利用者が衣類１を着用した状態では、裏地２２の絞り部２２ｓが着用者の下腕部Ａｒにより拡径されて太くなり、着用者の下腕部Ａｒにその周囲からフィット（密着）する。この構成によると、着用者が腕を動かしても、衣類１の袖部２０Ｌと着用者の腕との位置関係が変わりにくく、そのため、着用者の腕に対する表示装置１０１の位置ずれも生じにくい。また、伸縮性を有する織物の絞り部２２ｓにより位置関係を保持させるので、ベルトのようにきつく締めることなく、つまり、着用者の負担を抑制しつつ、着用者の腕に対する表示装置１０１の位置ずれを抑制できる。
【００３５】
図９は、衣類１を着用した状態で表示装置１０１を操作している利用者の一例を示した図である。本実施の形態では、袖部２０Ｌは、着用者の下腕部Ａｒを覆う下腕被覆部２０ｂを有する長袖形状を有しており、取付ケース３０は、表地２１の下腕被覆部２０ｂ部分に、着用者の下腕部Ａｒが水平に持ち上げられた状態で表示面１０１ａが上を向く位置に取り付けられている。
【００３６】
これにより、図９のように着用者が下腕部Ａｒをほぼ水平に持ち上げることで、表示装置１０１の表示面１０１ａが上を向き、表示面１０１ａを良好に視認できる。特に本実施の形態では、袖部２０Ｌの裏地２２が着用者の下腕部Ａｒにフィットするため、下腕部Ａｒを水平に持ち上げたときに表示装置１０１の自重等により表示装置１０１が位置ずれしたり下腕部Ａｒのまわりに回転したりするようなことが抑制される。また、表示装置１０１がタッチ入力機能を有するものである場合に、タッチ操作を行ったときに表示装置１０１が上述のように位置ずれしたり回転したりするようなことが生じにくく、安定したタッチ操作を行うことができる。
【００３７】
また、取付ケース３０を弾性変形させるだけで取付ケース３０の取り外しを行うことができる。そのため、衣類１の洗濯等も容易に行うことができる。
【００３８】
［２．効果等］
（１）本実施の形態の衣類１（衣類の一例）は、
着用者の胴体を覆う胴体部１０と、
着用者の腕部を覆い、筒状の表地２１及び裏地２２を有する袖部２０Ｌと、
表地２１に取り付けられ、表示装置１０１（電子機器の一例）が取り付けられる取付ケース３０（電子機器取付ケースの一例）と、を備える。
裏地２２における取付ケース３０の近傍の部分２２ｓ（絞り部２２ｓ）が、想定着用者の腕部太さよりも細く絞られているとともに、伸縮性を有する生地で構成されている。
【００３９】
本実施の形態によると、衣類１が着用された状態では、袖部２０Ｌの裏地２２における取付ケース３０の近傍の部分２２ｓ（絞り部２２ｓ）が、生地の伸縮性により伸びて着用者の腕部にフィットする。そのため、着用者が腕を動かすなどしても、衣類１の袖部２０Ｌと着用者の腕との位置関係が変わりにくい。よって、取付ケース３０の位置ずれを抑制できる。また、伸縮性を有する生地を着用者の腕部にフィットさせることで位置関係を保持させるため、ベルトのようにきつく締めることなく、電子機器の位置ずれを抑制できる。つまり、着用者の負担を抑制しつつ、表示装置１０１の位置ずれを抑制できる。
【００４０】
（２）本実施の形態において、
取付ケース３０は、当該取付ケース３０に取り付けられた表示装置１０１（電子機器の一例）の表示面１０１ａを露出させる前面開口３０ｏ（第１の開口）を備え、表地２１に表示面１０１ａが外部に露出するように取り付けられている。
【００４１】
これにより、表示装置１０１の表示面１０１ａを着用者や周囲の者が視認することができる。
【００４２】
（３）本実施の形態において、
袖部２０Ｌは、着用者の下腕部Ａｒを覆う下腕被覆部２０ｂを有する長袖形状を有する。
取付ケース３０は、表地２１の下腕被覆部２０ｂ部分に、着用者の下腕部Ａｒが水平に持ち上げられた状態で表示面１０１ａが上を向く位置に取り付けられている。
【００４３】
これにより、着用者が下腕部Ａｒを水平に持ち上げることで、表示装置１０１の表示面１０１ａが上を向き、表示面１０１ａを良好に視認できる。特に本実施の形態では、袖部２０Ｌの裏地２２が着用者の下腕部Ａｒにフィットするため、下腕部Ａｒを水平に持ち上げたときに表示装置１０１の自重等により表示装置１０１が位置ずれしたり下腕部Ａｒのまわりに回転したりするようなことが抑制される。また、表示装置１０１がタッチ入力機能を有するものである場合に、タッチ操作を行ったときに表示装置１０１が上述のように位置ずれしたり回転したりするようなことが生じにくく、安定したタッチ操作を行うことができる。
【００４４】
（４）本実施の形態において、
取付ケース３０は、弾性変形する樹脂製で、背面開口３０ｐ（第２の開口）を備える。
表示装置１０１は、取付ケース３０が変形された状態で背面開口３０ｐを介して着脱される。
【００４５】
これにより、表示装置１０１を必要に応じて衣類１に対して着脱できる。例えば、衣類１の洗濯のために表示装置１０１を取り外すことができる。また、取り外しを取付ケース３０を弾性変形させるだけで容易に行うことができる。
【００４６】
（５）本実施の形態において、
取付ケース３０は、表地２１に設けられた開口２１ａ（第３の開口）に嵌めて取り付けられている。
背面開口３０ｐは、取付ケース３０において前面開口３０ｏが設けられた面とは反対側の面に設けられている。
表地２１に取付ケース３０の近傍で第６ファスナ４６が設けられている。
表示装置１０１は、第６ファスナ４６が開かれた状態で、表地２１の裏側から、背面開口３０ｐを介して取付ケース３０に着脱される。
【００４７】
これにより、例えば腕を強く動かしたような場合でも、取付ケース３０から表示装置１０１が衣類１の外部に脱落するようなことが抑制される。
【００４８】
（６）本実施の形態において、
表示装置１０１は、ポータブルコンピュータ本体１０２から出力される映像信号に基づく表示を行う表示装置１０１である。
胴体部１０の裏地１２の表地１１側の面にポータブルコンピュータ本体１０２を収容するポケット１４が設けられている。
胴体部１０の表地１１においてポケット１４に正面視で重なる部分がメッシュ部材１５で構成されている。
【００４９】
これにより、ポータブルコンピュータ本体１０２から発生した熱を、表地１１のメッシュ部材１５を介して、衣類１の外部の空間に放熱させることができる。そのため、衣類１の内部に熱がこもりにくくなり、ポータブルコンピュータ本体１０２の温度上昇を抑制できるとともに、着用者に熱による厚さを感じさせにくくすることができる。
【００５０】
（７）本実施の形態において、
胴体部１０の表地１１と裏地１２との間の空間及び袖部２０Ｌの表地２１と裏地２２との間の空間に、表示装置１０１とポータブルコンピュータ本体１０２とを接続する第１、第２接続ケーブル１１１，１１２が通される。
【００５１】
これにより、第１、第２接続ケーブル１１１，１１２が衣類１の外部に露出しない。そのため、着用者が腕を動かしたり、何らかの動作を行ったりしたときに、第１、第２接続ケーブル１１１，１１２が着用者の腕等に絡むのを防止できる。また、第１、第２接続ケーブル１１１，１１２を、胴体部１０の表地１１と裏地１２との間の空間及び袖部２０Ｌの表地２１と裏地２２との間の空間に通すことで、第１、第２接続ケーブル１１１，１１２が着用者の腕や胴に直接接触することがなく、接触による違和感の発生を抑制できる。
【００５２】
（８）本実施の形態において、
本実施の形態の衣類１と、
衣類１の取付ケース３０に取り付けられた表示装置１０１と、を含む、
電子機器付き衣類が提供される。
【００５３】
（実施の形態２）
実施の形態２について図１０を参照して説明する。
【００５４】
図１０は、実施の形態２における衣類についての図７相当の断面図である。本実施の形態における衣類では、袖部２０Ｌの裏地２２の表示装置１０１側の面に、生体センサ１２０が取り付けられている。本実施の形態では、裏地２２の絞り部２２ｓが着用者の下腕部Ａｒにフィットするため、生体センサ１２０を裏地２２のみを介して着用者の下腕部Ａｒに密着させることができる。生体センサ１２０が例えば体温や心拍数等を検出するセンサの場合、衣類１を着用しているだけで、着用者の体温や心拍数を精度よく検出できる。
【００５５】
（実施の形態３）
実施の形態３について図１１、図１２を参照して説明する。
【００５６】
図１１は、実施の形態３における衣類についての図７相当の断面図である。図１２は、実施の形態３における衣類についての図８相当の断面図である。本実施の形態では、実施の形態１とは袖部の構造が一部異なる。すなわち、本実施の形態では、表地２１は実施の形態１，２と同じであるが、袖部２２０Ｌの下腕被覆部２２０ｂの裏地２２２Ａ，２２２Ｂに、伸縮性を有する素材は利用されていない。裏地２２２Ｂは、取付ケース３０に対して袖口２２０ｉとは反対側で表地２１に縫製により結合されている。裏地２２２Ａの袖口２２０ｉ側の端部は、裏地２２２Ｂに縫製により結合されている。裏地２２２Ｂには、第１、第２接続ケーブル１１１，１１２を上部側の空間に通すためのケーブル通し孔２２２ａが設けられている。裏地２２２Ｂの袖口２２０ｉ側の端部は表地２１に縫製されておらず、そのため、袖口２２０ｉ側から表地２１と裏地２２２Ｂとの間の空間にアクセス可能となっている。また、表地２１と裏地２２２Ｂとの間の空間には、弾性を有する薄板状の板状部材２２３が筒状に丸められて挿入されている。板状部材２２３は、例えばシリコン樹脂製であり、丸める力が加わっていないときは平面状となる部材である。板状部材２２３は丸めた状態で両方の端部２２３ｔが接着剤等で固定されているわけではない。そのため、板状部材２２３は平面に戻ろうとする復元力により、表示装置１０１の背面１０１ｂや表地２１の内面に密着する。なお、図１１、図１２では、各部材を認識しやすいように意図的に隙間を設けて描いている。このような構成により、着用者が腕を動かしても、表地２２１のたるみ等の変形が生じにくく、衣類の袖部２２０Ｌと着用者の下腕部Ａｒとの位置関係が変わりにくい。そのため、着用者の腕に対する表示装置１０１の位置ずれを抑制できる。また、丸められた状態の板状部材２２３の復元力により位置関係を保持させるため、ベルトのようにきつく締めることなく、表示装置１０１の位置ずれを抑制できる。つまり、着用者の負担を抑制しつつ、表示装置１０１の位置ずれを抑制できる。
【００５７】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。そこで、以下、他の実施の形態を例示する。
【００５８】
（１）前記実施の形態の衣類では、電子機器が、ポータブルコンピュータ本体１０２及びバッテリユニット１０３と分離して設けられた表示装置１０１である例を説明した。しかし、本開示において、電子機器は表示装置１０１に限定されない。例えばスマートフォン、タブレットコンピュータ、携帯型ゲーム機、コンパクトデジタルカメラ等、単独で動作する電子機器であってもよい。この場合、取付ケースの形状は取り付けられる機器の形状にあわせて形成すればよい。
【００５９】
（２）前記実施の形態の衣類では、ポータブルコンピュータ本体１０２やバッテリユニット１０３を収容するポケット１４，１７が設けられるとともに、第１〜第３接続ケーブル１１１〜１１３を収容可能なように構成されているが、電子機器が（１）で説明したような単独で動作するものである場合、上記のポケットや接続ケーブル配線空間は設けられなくてもよい。
【００６０】
（３）前記実施の形態の衣類では、胴体部１０及び袖部２０Ｌ，２０Ｒの表地と裏地が縫製により結合されている例を説明したが、表地と裏地の結合は、布類用の接合テープ等で行われてもよい。
【００６１】
（４）前記実施の形態の衣類では、取付ケース３０は前面及び背面の両方に開口３０ｏ，３０ｐを有する。しかし、実施の形態３のように板状部材２２３を有する構成では、背面の開口３０ｐは設けられなくてもよい。この場合、袖部２０Ｌの開口２１ａも設けられず、取付ケース３０は表地２１の表面に重ねて設けられてもよい。なお、背面の開口３０ｐを設けない場合、取付ケースは、表示装置１０１を枠部内に嵌めやすいように、実施の形態１の取付ケースよりも柔軟で変形しやすい素材を用いて形成してもよい。
【００６２】
（５）前記各実施の形態では、衣類の下腕被覆部に電子機器取付ケースを設けた例を説明した。しかし、本開示は、衣類の上腕被覆部に電子機器取付ケースを設けた場合や、その両方に設けた場合にも適用可能である。
【００６３】
（６）前記各実施の形態では、衣類の袖部が長袖形状の袖部である例を説明した。しかし、本開示は、衣類の袖部が上腕部を覆う上腕被覆部のみを有する半袖形状の袖部に電子機器取付ケースを設けた場合にも適用可能であることは言うまでもない。
【００６４】
（７）前記各実施の形態では、左側の袖部に電子機器（表示装置）が設けられる例を説明した。しかし、本開示では、電子機器（表示装置）は、右側の袖部に設けられてもよいし、左右両方の袖部に設けられてもよい。
【００６５】
（８）前記各実施の形態では、ポータブルコンピュータ本体１０２と表示装置１０１を   接続する第１、第２接続ケーブル１１１，１１２が２本である例を説明した。しかし、本開示において、接続ケーブルの本数はこれに限定されず、１本だけまたは３本以上であってもよい。また、表地と裏地の間の空間には、その他の接続ケーブルを通してももちろんよい。
【００６６】
（９）前記各実施の形態では、第７ファスナ４７が、衣類の内部での接続ケーブルの引き回し及び取り外しを行う際に利用される例を説明した。しかし、これに限定されず、第７ファスナ４７は、衣類の外部に設けられる外部デバイス(例えば、ウェアラブルカメラやヘッドマウントディスプレイなどの頭部デバイス)と衣類内部の電子機器（ポータブルコンピュータ本体等）とを接続する接続ケーブルの衣類内部への引き込み口（衣類外部への引き出し口）として利用することもできる。
【００６７】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、特許請求の範囲またはその均等の範囲において種々の変更、置き換え、付加、省略などを行うことができる。
【産業上の利用可能性】
【００６８】
本開示は、第１のユニットを第２のユニットにロックするロック機構を有する電子機器において広く利用可能である。
【符号の説明】
【００６９】
１  衣類
１０  胴体部
１０Ｆ  前身頃
１０ＦＬ  左前身頃
１０ＦＲ  右前身頃
１０Ｒ  後ろ身頃
１１  表地
１２  裏地
１３  ポケット布
１３ａ  開口
１４  ポケット
１５  メッシュ部材
１６  ポケット布
１７  ポケット
２０Ｌ，２０Ｒ，２２０Ｌ  袖部
２０ｂ  下腕被覆部
２０ｉ  袖口
２１，２２１  表地
２１ａ  開口
２２，２２２  裏地
２２ｓ  近傍の部分（絞り部）
２３  ポケット布
２３ａ  ケーブル通し孔
２４  ポケット
３０  取付ケース
３０ａ  枠部
３０ｂ  フランジ部
３０ｃ  縫糸通し孔
３０ｄ，３０ｅ  ケーブル通し孔
３０ｆ  側面保持部
３０ｇ  前面保持部
３０ｈ  背面保持部
３０ｏ  前面開口
３０ｐ  背面開口
４１〜４７  第１〜第７ファスナ
１０１  表示装置
１０１ａ  表示面
１０１ｂ  背面
１０２  ポータブルコンピュータ本体
１０３  バッテリユニット
１１１〜１１３  第１〜第３接続ケーブル
１２０  生体センサ
２２０  袖部
２２０ｂ  下腕被覆部
２２０ｉ  袖口
２２２Ａ，２２２Ｂ  裏地
２２２ａ  ケーブル通し孔
２２３  板状部材
Ｓ  縫製
【図１Ａ】
2019019427.tif 000003
【図１Ｂ】
2019019427.tif 000004
【図２】
2019019427.tif 000005
【図３】
2019019427.tif 000006
【図４Ａ】
2019019427.tif 000007
【図４Ｂ】
2019019427.tif 000008
【図５】
2019019427.tif 000009
【図６】
2019019427.tif 000010
【図７】
2019019427.tif 000011
【図８】
2019019427.tif 000012
【図９】
2019019427.tif 000013
【図１０】
2019019427.tif 000014
【図１１】
2019019427.tif 000015
【図１２】
2019019427.tif 000016